(57)【要約】      （修正有）【課題】箱の外表面に折曲線が現れることがなく、かつ自動製箱機で自動製箱し得る多角形筒箱を提供する。【解決手段】３枚の側板１、２、３と１枚の貼着片４等を用いて構成される３角形筒箱に於て、該貼着片４と縦折曲線９によって先端片４ａと元端片４ｂとに分割し、該先端片４ａを元端片４ｂの内面に折り重ねると共に、該先端片４ａを接着材９を介して側板１の内面所定位置に設けられた接着部１０に貼着して構成した３角形筒箱。【選択図】図１
0003117095.tif 000002
【実用新案登録請求の範囲】
【請求項１】
左右方向に並列された複数枚の側板と１枚の貼着片とを順に折曲線で連結して形成したブランク板からなる多角形筒箱に於て、前記貼着片を縦折曲線によって先端片と元端片に左右に分割し、かつ箱の組立に当って該貼着片の先端片を元端片の内面に折り重ねた後で該先端片の先端縁を前記左端の側板の内面右端縁に合致させて先端片を該左端の側板の右端部に貼着して多角形筒容器を偏平状に折畳むように構成したことを特徴とした多角形筒箱。 
【考案の詳細な説明】
【技術分野】
【０００１】
本考案は、偏平状に折畳が自在な三角形、四角形、台形等の多角形筒箱に係り、特に折曲線が箱を形成する側板の表面に現れることがなく、かつ自動製箱機で自動的に貼着して筒体を構成することが出来る体裁の良い折畳自在な多角形筒箱に関するものである。
【背景技術】
【０００２】
従来、折曲線を介して複数の側板と１枚の貼着片を左右方向に連結したブランク板よりなる折畳式の紙箱は、例えば実開平２−４８５１５号公報（特許文献１）のように、ブランク板を手作業で順に折曲げて組立てる３角箱の技術と、図９乃至図１１に示す如く、一部の側板の中央部に折曲線を設けて、箱を偏平状に自動的に折畳みが出来るよう予め機械貼で構成した３角箱の技術とが知られている。
【０００３】
前記図９乃至図１１に示す従来の自動折畳み可能な３角箱について説明すると、次の通りである。
【０００４】
即ち、図９乃至図１１に於て、Ｃは自動折畳み可能な３角箱のブランク板であって、図１０に示す如く、その筒部は３枚の側板５１、５２、５３と１枚の貼着片５４によって形成されている。側板５１、５２、５３の上端縁には夫々底板５５が折曲線によって連設され、側板５１、５３の下端には舌片５６を側方に有する蓋板５７、５８が折曲線によって連設されている。
【０００５】
前記側板５１とこれに連設された蓋板５７のほぼ中央部に縦折曲線５９が設けられ、かつ貼着片５４には接着材６０が塗着されている。
【０００６】
前記ブランク板Ｃを用いて折畳自在な３角箱を組立構成するに当っては、図９及び図１１に示す如く、貼着片５４を側板５１の内側外縁に貼着して構成し、かつ側板５１及び蓋板５７に設けた縦折曲線５９を利用することによって、筒状に組立てられた３角箱を偏平状に折畳んでいた。従って、前述の組立構成は、側板５１と蓋板５７に縦折曲線５９を設けたので、自動製箱機（サックマシン）で、自動的に製箱されることを可能にしていた。
【特許文献１】実開平２−４８５１５号公報
【考案の開示】
【考案が解決しようとする課題】
【０００７】
然るに、前述の特許文献１に記載された技術に基づいて構成した箱は、ブランク板を構成する一部の側板に折曲線が設けられないので、組立てた箱は体裁が良いが、手作業で組立構成しなければならないので製箱が不便である問題があった。
【０００８】
また、後述の図９乃至図１１に例示する箱は、ブランク板の一部の側板に折曲線を設けた為に、自動製箱機を用いて自動的に組立てることが出来、安価に大量生産することが可能であるが、その反面で一部の側板の外表面に折曲線が現出するので、体裁が悪く、商品価値を下げる等の問題があった。
【０００９】
本考案に係る多角形筒箱は、前述の従来の問題点に鑑み開発された全く新しい技術であって、特に貼着片を所定の位置で折曲げるようにすると共に、この貼着片の先端片を対応する側板の内面最奥縁に貼着して筒体を構成することによって、多角形筒箱を自動製箱機で自動製箱することが出来、かつ箱の外表面に折曲線が全く現れないようにした新規な多角形筒箱の技術を提供するものである。
【課題を解決するための手段】
【００１０】
本考案に係る多角形筒箱は、前述の従来の問題点を根本的に改善した考案であって、その考案の要旨は、左右方向に並列された複数枚の側板と１枚の貼着片とを順に折曲線で連結して形成したブランク板からなる多角形筒箱に於て、前記貼着片を縦折曲線によって先端片と元端片に左右に分割し、かつ箱の組立に当って該貼着片の先端片を元端片の内面に折り重ねた後で該先端片の先端縁を前記左端の側板の内面右端縁に合致させて先端片を該左端の側板の右端部に貼着して多角形筒容器を偏平状に折畳むように構成したことを特徴とした多角形筒箱である。
【考案の効果】
【００１１】
本考案に係る多角形筒箱に於ては、前述の如く、複数枚の側板と１枚の貼着片とを折曲線を介して左右に並列して連結し、かつ該貼着片を縦折曲線によって先端片と元端片とに分割してブランク板を構成し、前記貼着片の先端片を元端片の内面に折り重ねた後で該先端片の先端縁を対応する側板の内面の一番奥の端縁に合致させて該先端片を側板の内面に貼着して多角形筒を組立てたので、該多角形筒は各側板間に設けた折曲線と貼着片に設けた折曲線を利用することによって、箱全体を偏平状に折畳むことが出来る。従って、自動製箱機を用いて製箱することが出来ると共に、箱の外表面に折曲線が現れることをなくし、これによって箱の体裁が阻害されることを防止出来る。
【考案を実施するための最良の形態】
【００１２】
図により本考案に係る多角形筒箱の一実施例を具体的に説明すると、図１は本考案に係る第１実施例の３角筒箱の斜視図、図２は図１の３角筒箱のブランク板の平面図、図３は３角筒箱の貼着片の先端片が貼着される位置を示す説明図、図４は図２のブランク板の組立説明図、図５は図４のブランク板の組立完成図である。
【００１３】
図６は本考案に係る第２実施例の台形筒箱の組立完成説明図、図７は図６の台形筒箱のブランク板の平面図、図８は図７のブランク板の組立途中の説明図である。
【００１４】
図１乃至図５に於て、本考案の第１実施例の３角筒箱について説明する。先ず図２及び図３に於て、本考案の３角筒箱のブランク板Ａについて記述すると、このブランク板Ａは３枚の側板１、２、３及び１枚の貼着片４と、側板１の上下に連設した舌片５を有する蓋板６と、側板３の上下に連設した舌片７とによって構成されている。
【００１５】
前述の側板１、２、３及び貼着片４は夫々縦折曲線を介して連結されている。前記貼着片５は側板１、２、３とほぼ等しい巾を有すると共に、その貼着片４は縦折曲線８によって先端片４ａと元端片４ｂとに左右に分割されている。また、該先端片４ａには接着材９が塗着されている。特に図３に於ては、前記先端片４ａの接着材９が側板１に接着される接着部１０が表示されている。
【００１６】
ブランク板Ａの組立に当っては、図４、図５及び図１に示す如く、側板３を側板２の内面に折り重ね、かつ貼着片４を縦折曲線８で内側に折り重ねて先端片４ａが元端片４ｂの内面に重なるようにした後で、該先端片４ａを接着材９を介して側板１の内面の図２に於ける右端部（最奥端部）の接着部１０に貼着固定する。
【００１７】
従って、本考案に係るブランク板Ａで構成した３角筒箱は、図４（ａ）、（ｂ）に示す如く、貼着片４を側板１に貼着して筒状に構成した後で、貼着片４の縦折曲線８と側板１、２間に設けられた縦折曲線を介して偏平状に折畳むことが出来る。
【００１８】
更に、本考案の３角筒箱に商品を収納する場合には、３角筒箱を起こして筒状にした後で、その中に商品を収納し、かつ蓋６及び舌片５、７を筒内に折込むことによって、図１に示すような箱を構成することが出来る。
【００１９】
次に、図６乃至図８に於て、本考案に係る第２実施例の台形筒箱について説明する。
【００２０】
前記第１実施例に於ては、３角筒箱の実施例を説明したが、図６乃至図８に示す如く、本考案は台形筒箱を始めとして、他の多角形筒箱にも応用することが出来る。
【００２１】
図に於て、Ｂは台形筒箱のブランク板であって、左右巾の異なる４枚の側板１１、１２、１３、１４と、１枚の貼着片１５と、側板１１の上下に連設した舌片１６を有する蓋板１７と、側板１２、１４の上下に連設した舌片１８とによって構成されている。
【００２２】
ブランク板Ｂに於ては、前記ブランク板Ａと同様に、貼着片１５に縦折曲線１９が設けられて、先端片１５ａと元端片１５ｂとに左右に分割されている。該先端片１５ａには接着材９が塗着されている。また、側板１１の所定位置には、先端片１５ａの接着材９が接着される接着部１０が表示されている。
【００２３】
ブランク板Ｂの組立に当っては、図に示す如く、前記ブランク板Ａの場合と同様に、側板１４を側板１３の内面に折り重ねると共に、かつ貼着片１５を縦折曲線１９で内側に折り重ねて先端片１５ａを元端片１５ｂの内面に重ね合せ、該先端片１５ａを接着材９を介して側板１１の内面の右端部の接着部１０に貼着固定する。
【００２４】
この第２実施例の台形筒箱も、前記第１実施例の３角筒箱と同様に、貼着片１５の縦折曲線１９と側板１３、１４間の縦折曲線とを用いることによって、箱を偏平状に折畳むことが出来る。
【００２５】
従って、この第２実施例の台形筒箱も、自動製箱機を用いて自動的に製箱することが出来る。かつ、この実施例の場合にも、箱を構成する側板１１、１２、１３、１４に折曲線を設ける必要がなく、体裁の良い箱を構成することが出来る。
【産業上の利用可能性】
【００２６】
本考案は、３角筒、４角筒、台形筒、６角形筒等の多角形筒箱に利用することが出来る。また、紙箱のみならずプラスシートで構成するパッケージにも利用することが出来る。
【図面の簡単な説明】
【００２７】
【図１】本考案に係る第１実施例の３角筒箱の斜視図である。
【図２】図１の３角筒箱のブランク板の平面図である。
【図３】３角筒箱の貼着片の先端片が貼着される位置を示す説明図である。
【図４】図２のブランク板の組立説明図である。
【図５】図４のブランク板の組立完成図である。
【図６】本考案に係る第２実施例の台形筒箱の組立完成説明図である。
【図７】図６の台形筒箱のブランク板の平面図である。
【図８】図７のブランク板の組立途中の説明図である。
【図９】従来の３角筒箱の斜視図である。
【図１０】図９の３角筒箱の展開平面図である。
【図１１】図９の３角筒箱の組立途中の説明図である。
【符号の説明】
【００２８】
Ａ      ・・・ブランク板
Ｂ      ・・・ブランク板
Ｃ      ・・・ブランク板
１      ・・・側板
２      ・・・側板
３      ・・・側板
４      ・・・貼着片
４ａ    ・・・先端片
４ｂ    ・・・元端片
５      ・・・舌片
６      ・・・蓋板
７      ・・・舌片
８      ・・・縦折曲線
９      ・・・接着材
１０    ・・・接着部
１１    ・・・側板
１２    ・・・側板
１３    ・・・側板
１４    ・・・側板
１５    ・・・貼着片
１５ａ  ・・・先端片
１５ｂ  ・・・元端片
１６    ・・・舌片
１７    ・・・蓋板
１８    ・・・舌片
１９    ・・・縦折曲線
５１    ・・・側板
５２    ・・・側板
５３    ・・・側板
５４    ・・・貼着片
５５    ・・・底板
５６    ・・・舌片
５７    ・・・蓋板
５８    ・・・蓋板
５９    ・・・縦折曲線
６０    ・・・接着材
【図１】
0003117095.tif 000003
【図２】
0003117095.tif 000004
【図３】
0003117095.tif 000005
【図４】
0003117095.tif 000006
【図５】
0003117095.tif 000007
【図６】
0003117095.tif 000008
【図７】
0003117095.tif 000009
【図８】
0003117095.tif 000010
【図９】
0003117095.tif 000011
【図１０】
0003117095.tif 000012
【図１１】
0003117095.tif 000013